(57)【特許請求の範囲】
【請求項１】
設定温度に加熱した洗浄水を吐出する洗浄水吐出ユニットと、設定温度に便座を加熱する便座加熱ユニットと、設定温度に加熱した温風を送出する温風送出ユニットのうち少なくとも２つのユニットを具備するとともに、これらの各ユニットを制御するための制御ユニットと同制御ユニットを操作するための操作ユニットとを具備して、同操作ユニットによって各ユニットでの設定温度を変更できるべく構成した衛生洗浄装置において、
操作ユニットは、温度を設定すべきユニットを選択するための選択ボタンを各ユニットごとに有し、各選択ボタンは、各ユニットでの設定温度の変更を行う温度調節ボタンとしての機能をも兼ね備え、同選択ボタンを選択操作した後に引き続き操作することにより、制御ユニットは、選択ボタンの最初の操作によって温度を設定すべきユニットを選択し、次の操作によってユニットの設定温度を現在の設定温度よりも低い温度に変更すべく制御することを特徴とする衛生洗浄装置。
【請求項２】
制御ユニットは、現在の設定温度よりも高い温度に変更する場合には、最低設定温度を経由して変更すべく制御することを特徴とする請求項１記載の衛生洗浄装置。
【請求項３】
操作ユニットは、各ユニットでの現在の設定温度を表示するための表示部を共通に有して、同表示部に選択ボタンで選択されたユニットの設定温度を表示すべく構成したことを特徴とする請求項１又は請求項２記載の衛生洗浄装置。
【請求項４】
前記表示部への表示は、所定時間のみ行うことを特徴とする請求項１〜請求項３のいずれかに記載の衛生洗浄装置。
【発明の詳細な説明】
【０００１】
【発明の属する技術分野】
本発明は、衛生洗浄装置に関するものである。
【０００２】
【従来の技術】
従来の衛生洗浄装置は、洗浄水を吐出する洗浄水吐出ノズルを進退自在に収容した本体ケーシングを便器の上部に載設し、同本体ケーシングの前方に便座と便蓋とを上下回動自在に配設する一方、同本体ケーシングの側部に袖状の操作部ケーシングを連設していた。
【０００３】
かかる衛生洗浄装置は、設定温度に加熱した洗浄水を吐出する洗浄水吐出ユニットと、設定温度に便座を加熱する便座加熱ユニットと、設定温度の乾燥風を送出する乾燥風送出ユニットとを具備するとともに、これらの各ユニットを制御するための制御ユニットに操作ユニットを接続していた。尚、遠隔操作用リモコンに操作ユニットを配設した場合には、操作ユニットと制御ユニットとを投光センサ及び受光センサ等により接続していた。
【０００４】
そして、操作ユニットによって各ユニットでの設定温度を設定することができ、同操作ユニットによって設定した設定温度の洗浄水を洗浄水吐出ユニットから吐出したり、操作ユニットによって設定した設定温度に便座加熱ユニットで便座を加熱したり、或いは操作ユニットによって設定した設定温度の乾燥風を乾燥風送出ユニットで送出するように制御ユニットによって各ユニットを制御するようにしていた。
【０００５】
また、上記従来の衛生洗浄装置では、洗浄水吐出ユニットを構成する熱交換器や操作ユニットを操作部ケーシングの内部に収容する一方、洗浄水吐出ユニットを構成する他の部材、例えばバルブや洗浄水吐出ノズル等や便座加熱ユニットや乾燥風送出ユニットや制御ユニットを本体ケーシングの内部に収容していた。
【０００６】
そして、上記従来の衛生洗浄装置の操作ユニットは、操作部ケーシングの上面に、温度を設定すべきユニットを選択するための選択ボタンを各ユニットごとに配設し、同選択ボタンの近傍に、各ユニットでの設定温度の変更を行う温度調節ボタンを配設し、さらには、各ユニットでの現在の設定温度を表示するための表示部を各ユニットごとに配設していた。
【０００７】
すなわち、上記従来の衛生洗浄装置では、操作部ケーシングの上面に、３種類の選択ボタンと、１種類の温度調節ボタンと、３種類の表示部とをそれぞれ配設していた。
【０００８】
【発明が解決しようとする課題】
ところが、上記従来の衛生洗浄装置にあっては、３種類の選択ボタンと１種類の温度調節ボタンと３種類の表示部といった多種類のボタンや表示部を有しており、これら多種類のボタンや表示部を操作部ケーシングの上面の限られた狭いスペースに配設していた。
【０００９】
そのため、必然的に各ボタンや表示部が小さくなってしまい、各ボタンの操作がしにくく、しかも、表示が見づらいといった不具合が発生するおそれがあった。
【００１０】
また、上記従来の衛生洗浄装置にあっては、選択ボタンを操作することによって温度設定を行うべきユニットを選択した後に、温度調節ボタンによって設定温度を上昇させる操作を行った場合には、直ちに設定温度を上昇させるように制御していたため、使用者が誤って温度調節ボタンを温度上昇側に操作してしまった場合には、高温の洗浄水が吐出されたり、便座が高温になりすぎたり、高温の乾燥風が送出されたりして、使用者が火傷を追うなどといった損傷を受けるおそれがあった。
【００１１】
【課題を解決するための手段】
そこで、本発明では、設定温度に加熱した洗浄水を吐出する洗浄水吐出ユニットと、設定温度に便座を加熱する便座加熱ユニットと、設定温度に加熱した温風を送出する温風送出ユニットのうち少なくとも２つのユニットを具備するとともに、これらの各ユニットを制御するための制御ユニットと同制御ユニットを操作するための操作ユニットとを具備して、同操作ユニットによって各ユニットでの設定温度を変更できるべく構成した衛生洗浄装置において、操作ユニットは、温度を設定すべきユニットを選択するための選択ボタンを各ユニットごとに有し、各選択ボタンは、各ユニットでの設定温度の変更を行う温度調節ボタンとしての機能をも兼ね備え、同選択ボタンを選択操作した後に引き続き操作することにより、制御ユニットは、選択ボタンの最初の操作によって温度を設定すべきユニットを選択し、次の操作によってユニットの設定温度を現在の設定温度よりも低い温度に変更すべく制御する構成とした。
【００１３】
また、制御ユニットは、現在の設定温度よりも高い温度に変更する場合には、最低設定温度を経由して変更すべく制御することとした。
【００１４】
また、操作ユニットは、各ユニットでの現在の設定温度を表示するための表示部を共通に有して、同表示部に選択ボタンで選択されたユニットの設定温度を表示すべく構成することとした。
【００１５】
また、各ユニットでの現在の設定温度を表示するための表示部への表示は、所定時間のみ行うべく制御することとした。
【００１６】
【発明の実施の形態】
本発明に係る衛生洗浄装置は、便器の後側上部に左右に伸延する横長略矩形箱型状の本体ケーシングを配設し、同本体ケーシングの前側部に便座と便蓋とを上下に開閉可能にそれぞれ配設するとともに、本体ケーシングの左側端部に前後に伸延する縦長略矩形箱型状の操作部ケーシングを連設したものである。
【００１７】
かかる衛生洗浄装置は、洗浄水を使用者が予め設定した設定温度に加熱した後に使用者の局部に向けて吐出する洗浄水吐出ユニットと、便座を使用者が予め設定した設定温度に加熱する便座加熱ユニットと、使用者が予め設定した設定温度に加熱した温風を使用者に向けて送出する温風送出ユニットとしての乾燥風送出ユニットとを具備しており、さらには、これらの各ユニットを制御するための制御ユニットと、同制御ユニットを操作するための操作ユニットを具備している。
【００１８】
洗浄水吐出ユニットは、給水管にバルブを連通連結し、同バルブに熱交換器を連通連結し、同熱交換器に洗浄水吐出ノズルを連通連結しており、給水管から供給される洗浄水をバルブにて一定水圧に減圧するとともに熱交換器にて設定温度に加熱し、その後、洗浄水吐出ノズルの先端部から使用者の局部に向けて吐出するようにしている。
【００１９】
便座加熱ユニットは、便座の内部にヒーターを収容しており、同ヒーターで使用者が設定した温度に便座を加熱するようにしている。
【００２０】
乾燥風送出ユニット（温風送出ユニット）は、本体ケーシングの内部にヒーター内蔵の送風機を配設しており、同送風機にて使用者が設定した温度に加熱した空気を使用者の局部に向けて送出するようにしている。
【００２１】
制御ユニットは、本体ケーシングの内部に制御回路を実装した制御基板を配設しており、同制御基板によって各ユニットを制御するようにしている。
【００２２】
操作ユニットは、使用時に頻繁に操作される主操作部と、比較的使用頻度が低い副操作部とから構成しており、主操作部と副操作部とを操作部ケーシングの内部に収容している。
【００２３】
しかも、操作ユニットは、温度を設定すべきユニットを選択するための選択ボタンを各ユニットごとに有しており、各選択ボタンに各ユニットでの設定温度の変更を行う温度調節ボタンとしての機能をも兼ね備えさせ、同選択ボタンを選択操作した後に引き続き操作することによって各ユニットでの設定温度を変更できるように構成している。
【００２４】
そのため、選択ボタンの他に温度調節ボタンを設ける必要がなくなり、操作ボタンを配設するためのスペースを小さくすることができるとともに、狭いスペースを有効に利用して各選択ボタンを可及的に大きくすることができ、選択ボタンの操作が容易になり、これにより、衛生洗浄装置の操作性を向上させることができる。
【００２５】
また、選択ボタンの最初の操作によって温度を設定すべきユニットが選択され、次の操作によってユニットの設定温度が現在の設定温度よりも低い温度に変更されるようにして、常に希望の設定温度よりも高い設定温度を通過させずに設定できるようにしている。
【００２６】
そのため、使用者がボタン操作を行った場合には、一旦低温側に設定温度が変更されることになり、使用者の身体が誤って選択ボタンに接触しても、いきなり高温の洗浄水が吐出されたり、便座が高温になりすぎたり、高温の乾燥風が送出されたりすることがなく、したがって、使用者が火傷を追うなどといった損傷を受けるおそれが全くなくなり、これにより、衛生洗浄装置の安全性を向上させることができる。
【００２７】
また、温度設定ユニットに各ユニットでの現在の設定温度を表示するための表示部を1組だけ設けて、同表示部に選択ボタンで選択されたユニットの設定温度を表示するようにしている。
【００２８】
そのため、各ユニットでの設定温度を1組の表示部で表示することができ、各ユニットごとに表示部を設ける必要がなくなり、表示部を配設するためのスペースを小さくすることができるとともに、狭いスペースを有効に利用して表示部やボタン類を可及的に大きくすることができ、これにより、使用者が現在の設定温度を容易に確認することができ、また、使用者がボタン類を容易に操作することができ、衛生洗浄装置の使い勝手を向上させることができる。
【００２９】
【実施例】
以下に、本発明の実施例について図面を参照しながら具体的に説明する。
【００３０】
本発明に係る衛生洗浄装置１は、図１に示すように、便器２の上部に載設されて使用されるものであり、図１〜図４に示すように、便器２の後側上部に左右に伸延する横長略矩形箱型状の本体ケーシング３を取付け、同本体ケーシング３の前側部にＯ型状の便座４と同便座４の上部を覆う便蓋５とを上下に開閉可能にそれぞれ取付けるとともに、本体ケーシング３の左側端部に前後に伸延する縦長略矩形箱型状の操作部ケーシング６を連設している。図中、７は洗浄タンクである。
【００３１】
かかる衛生洗浄装置１は、図５に模式的に示すように、洗浄水を使用者が予め設定した設定温度に加熱した後に使用者の局部に向けて吐出する洗浄水吐出ユニット８と、便座４を使用者が予め設定した設定温度に加熱する便座加熱ユニット９と、使用者が予め設定した設定温度に加熱した乾燥風を使用者の局部に向けて送出する乾燥風送出ユニット（温風送出ユニット）10とを具備しており、さらには、これらの各ユニット8,9,10を制御するための制御ユニット11と、同制御ユニット11を操作するための操作ユニット12を具備している。
【００３２】
そして、使用者が操作ユニット12を操作することによって各ユニット（洗浄水吐出ユニット８、便座加熱ユニット９、乾燥風送出ユニット10）での設定温度を調節することができ、同操作ユニット12によって設定した設定温度の洗浄水を洗浄水吐出ユニット８から吐出したり、操作ユニット12によって設定した設定温度に便座加熱ユニット９で便座４を加熱したり、或いは操作ユニット12によって設定した設定温度の乾燥風を乾燥風送出ユニット10で送出するように制御ユニット11によって各ユニット8,9,10を制御するように構成している。
【００３３】
上記各ユニット（洗浄水吐出ユニット８、便座加熱ユニット９、乾燥風送出ユニット10、制御ユニット11、操作ユニット12）の構成について以下に説明する。
【００３４】
洗浄水吐出ユニット８は、図５及び図６に示すように、本体ケーシング３の左側底部にバルブ13を配設するとともに、本体ケーシング３の右側部に熱交換器14を配設し、さらには、本体ケーシング３の中央部に洗浄水吐出ノズル15を前後方向に向けて進退自在に配設しており、給水管16にバルブ13を連通連結し、同バルブ13に熱交換器14を連通管17を介して連通連結し、同熱交換器14に洗浄水吐出ノズル15を連通管18を介して連通連結している。
【００３５】
そして、洗浄水吐出ユニット８は、給水管16から供給される洗浄水をバルブ13にて一定水圧に減圧するとともに熱交換器14にて設定温度に加熱し、その後、洗浄水吐出ノズル15の先端部から吐出するようにしている。尚、バルブ13は、内部で洗浄水を分岐させることができ、分岐させた洗浄水を連通管71から進退移動する洗浄水吐出ノズル15の胴体部に向けて吐出することによって、洗浄水吐出ノズル15の胴体部を洗浄できるようにしている。
【００３６】
便座加熱ユニット９は、図５に示すように、便座４の内部にヒーター19を収容しており、同ヒーター1 9に通電する電流値又は印加する電圧値を調節することで使用者が設定した温度に便座４を加熱するようにしている。
【００３７】
乾燥風送出ユニット10は、図５及び図６に示すように、本体ケーシング３の左側部にヒーター内蔵の送風機20を配設し、同送風機20の送出口21を本体ケーシング３の略中央底部に配設しており、同送風機20にて使用者が設定した温度に加熱した空気を送出口21から送出するようにしている。尚、送風機20の上部には、脱臭機73を付設しており、同脱臭機73で空気を脱臭することによって悪臭の発生を防止している。
【００３８】
制御ユニット11は、図５及び図６に示すように、本体ケーシング３の左側後部に制御回路を実装した制御基板22を配設し、同制御基板22に各ユニット（洗浄水吐出ユニット８、便座加熱ユニット９、乾燥風送出ユニット10、操作ユニット12）をケーブル23,24,25,26を介して接続している。
【００３９】
操作ユニット12は、図５〜図10に示すように、操作部ケーシング６の前側部に配設した使用時に頻繁に操作される主操作部27と、操作部ケーシング６の後側部に配設した比較的使用頻度が低い副操作部28とから構成している。図中、72は着座センサー用窓である。
【００４０】
そして、本体ケーシング３の左側部に連設した操作部ケーシング６の内部には、操作ユニット12を構成する主操作部27と副操作部28だけを収容しており、従来機と異なり操作部ケーシング６の内部に熱交換器14を収容していない。
【００４１】
そのため、従来機では操作部ケーシング６の内部に熱交換器14を収容するためのスペースを確保することが必要であったため、操作部ケーシング６の底部が便座４よりも下方に膨出しており、操作部ケーシング６が大型化していたのに対し、本実施例では、操作部ケーシング６の内部に熱交換器14を収容するためのスペースを確保する必要がなくなり、操作部ケーシング６を小型化・薄型化することができる。
【００４２】
特に、本実施例では、図３及び図４に示すように、操作部ケーシング６の底面29を便座４よりも大きく下方に膨出させずに、操作部ケーシング６の底面29と便座４の底面30とが側面視で近接した位置となるようにして、操作部ケーシング６の底面29と便座４の底面30との段差が可及的に小さくなるようにしている。
【００４３】
そのため、本体ケーシング３と操作部ケーシング６とがデザイン上においてまとまりのある形態となり、衛生洗浄装置１としての一体感のあるデザインとすることができ、外観上の美観を良好なものとすることができる。
【００４４】
しかも、本実施例では、本体ケーシング3の上面を、図３に示すように、正面視で中央部が隆起した緩やかな曲面とするとともに、図４に示すように、側面視で後高前低に緩やかに傾斜する曲面とし、また、便蓋５の上面も、図３に示すように、正面視で中央部が隆起した緩やかな曲面とするとともに、図４に示すように、側面視で後高前低に緩やかに傾斜する曲面としており、図４に示すように、本体ケーシング３の上面と便蓋５の上面とを側面視で連続する曲線（例えば、本体ケーシング３の上面と便蓋５の上面の中央部では、図４において符号L1で示す曲線）で形成して、本体ケーシング３の上面と便蓋５の上面とが外観上で連続する曲面となるようにしている。
【００４５】
また、本体ケーシング３の上面の左右端縁と便蓋５の上面の基端部左右端縁も、図２に示すように、平面視で連続する曲線（図２において符号L2で示す曲線）で形成して、本体ケーシング３の上面端縁と便蓋５の上面端縁とが外観上で連続する曲面となるようにしている。尚、後述する操作部ケーシング６に設けた開閉蓋53の先端縁を便蓋５の上面端縁に連続する本体ケーシング３の上面端縁に位置させることによって、操作部ケーシング６の外観上の美観を損なわないようにしている。
【００４６】
また、便蓋５の上面を、図３及び図７に示すように、正面視で中央部から端縁部に向けて緩やかに下降する曲面とするとともに、操作部ケーシング６の上面中途部を、正面視で右側端縁（便蓋５側の端縁）から左側端縁に向けて緩やかに下降する曲面としており、図７に示すように、便蓋５の上面と操作部ケーシング６の上面中途部とを側面視で連続する曲線（図７中、符号L3で示す曲線）となるように形成している。
【００４７】
このように、本実施例では、図３、図４、及び図７に示すように、本体ケーシング３の上面と便蓋５の上面とが連続する曲線（図４中、符号L1で示す曲線）となるように形成するとともに、同便蓋５の上面と操作部ケーシング６の上面中途部とを連続する曲線（図７中、符号L2で示す曲線）となるように形成しているため、本体ケーシング３と操作部ケーシング６とがデザイン上において連続する形態となり、衛生洗浄装置１としての一体感のあるデザインとすることができ、外観上の美観を良好なものとすることができる。
【００４８】
また、本実施例では、図７〜図９に示すように、操作部ケーシング６の上面を中途部では正面視で内側（右側）から外側（左側）に向けて緩やかに下降した曲面とするとともに、中途部から前側部（先端部）では正面視で内側（右側）から外側（左側）への傾斜角度を漸次緩和させ、先端部では正面視で略水平となるような曲面としている。
【００４９】
このように、操作部ケーシング６の上面を、中途部では内側から外側へ下方に向けて傾斜させ、中途部から前方に向けて内側から外側への傾斜角度を漸次緩和させた曲面とすることで、後述する操作部ケーシング６の先端部に配置した操作ボタン37やその操作ボタン37による動作を説明する文字を使用者側に向けて位置させることができ、これにより、使用者にとって操作ボタン37の操作や説明文字の確認が容易に行え、衛生洗浄装置１の使い勝手を向上させることができる。
【００５０】
また、本実施例では、図３及び図７に示すように、操作部ケーシング６の外側（左側）下端部（底部）を内側（右側）に向けて傾斜させているため、使用者が操作部ケーシング６を上方から見た場合に、操作部ケーシング６の底部を視認することができなくなり、これにより、衛生洗浄装置１（操作部ケーシング６）が小型化・薄型化された印象を使用者に強く与えることができる。
【００５１】
しかも、外側（左側）下端部（底部）を内側（右側）に向けて傾斜させた操作部ケーシング６の底部に前記脱臭機73の排出口70を形成して、使用者が目視しにくい位置に排出口70を配設しており、操作部ケーシング６の外観上の美観を損なわないようにしている。
【００５２】
かかる操作部ケーシング６の前側部には、主操作部27を配設しており、同主操作部27は、図10及び図11に示すように、操作部ケーシング６の上面前側部の所要位置（後述する回路基板35に実装した操作スイッチ34やLED44の直上方位置）に複数の貫通孔3 1を穿設するとともに、操作部ケーシング６の上面前側部にシート状の操作パネル32を貼着する一方、操作部ケーシング６の下部（裏面）に略平板状の樹脂素材からなるインシュレータ33を取付け、同インシュレータ33の下部に複数の操作スイッチ34a〜34jやLED44a,44bを実装した回路基板35を取付けている。図中、36は固定用ビス、33aは止スイッチ、34bはおしりスイッチ、34cはやわらかスイッチ、34dはビデスイッチ、34eは乾燥スイッチ、34fはパワー脱臭スイッチ、34gは水勢弱スイッチ、34hは水勢強スイッチ、34iは洗浄位置前スイッチ、34jは洗浄位置後スイッチ、44aは水勢LED、44bは各種動作状態を報知するためのLEDである。
【００５３】
操作パネル32には、複数の操作ボタン37がエンボス加工により突出形成され、各操作ボタン37の表面や上部にその操作ボタン37による動作を説明する文字や図形を印刷している。操作ボタン37の外周には、図12に示すように、可動部37aをエンボス加工により設けることで、操作ボタン37の上下ストロークを大きくとれるようにしている。また、操作ボタン37を連続して操作することによってユニット（洗浄水吐出ユニット８）に複合的な動作を行わせることができる操作ボタン37の表面には、図11に示すように、一度目の操作によって行われる動作を説明する文字や図形の下に二度目以降の操作によって行われる動作を説明する文字や図形を枠で囲みその部分のみを鏡面印刷部37bとして、同操作ボタン37による動作を視覚的に確認し易いようにしている。また、操作パネル32は、裏面からぼかし印刷等を行うことで半透明の透過窓37cを形成しており、回路基板35に実装したLEDの位置が組付け時の公差等で微妙にずれても、透過窓37bを透過する際にLEDが発する光が拡散されるためにそのずれが分かりづらくなるようにしている。
【００５４】
インシュレータ33は、図10及び図12に示すように、板状のインシュレータ本体38に複数のキートップ39を細糸状の連結体40を介して上下に移動可能に連設している。
【００５５】
かかるキートップ39は、図12に示すように、操作部ケーシング６の上面に貼着した操作パネル32と操作部ケーシング６の内部に収容した回路基板35との間に介在しており、キートップ39の上端面を操作部ケーシング６の上面と同様の３次元曲面（傾斜面）とする一方、キートップ3 9の下部に円柱状のボス41を回路基板35の上面に実装した操作スイッチ34の直上方に向けて、すなわち鉛直上方に向けて伸延させた状態で連設している。
【００５６】
このように、本実施例では、前述したように操作部ケーシング６の上面を３次元曲面とし、同操作部ケーシング６の内部に操作スイッチ34を配設した平板状（２次元平面状）の回路基板35を配設し、同回路基板35と操作部ケーシング６の上面との間にキートップ39を介設し、同キートップ39は、上端面を操作部ケーシング６の上面と同様の３次元曲面とする一方、操作スイッチ34の直上方に伸延するボス41を下部に連設しているため、操作部ケーシング６の上面を３次元曲面に形成した場合であっても、操作部ケーシング６の上面を２次元の平面状に形成した場合と同様に、キートップ39の下部に形成したボス41を回路基板35の上面に実装した操作スイッチ34の鉛直上方に伸延させた状態で位置させることができ、キートップ39の操作力を操作スイッチ34に直接的に無駄なく伝達でき、操作スイッチ34の円滑な操作を可能ならしめることができる。しかも、本体ケーシング３の上面と操作部ケーシング６の上面とをともに３次元曲面で形成すれば、衛生洗浄装置１としての一体感のあるデザインとして外観上の美観を良好なものとすることができる。  前記回路基板35の上部には、図10及び図12に示すように、絶縁性及び可撓性を有する素材、例えばシリコン等をシート状に成形した上側カバー42を載設している。
【００５７】
かかる上側カバー42は、透過性を有する樹脂（シリコンやポリプロピレン等）で形成され、回路基板35の上面に実装された操作スイッチ34やコネクタ43やLED44等の電気部品に対応させて凸部45をエンボス加工により形成している。尚、上側カバー42のLED44に対応する凸部45を着色することで、LED44の表示色を変化させることができ、これにより、同一色のLED44を用いて複数色の表示を行わせることができ、部品（LED44）の統一化が図れ部品管理が容易となるとともに製造コストを低廉することができる。これは、操作パネル32に着色を施した場合にも同様の作用効果が得られる。
【００５８】
また、上側カバー42は、図12及び図13に示すように、周縁を回路基板35の周縁よりも外側にまで伸延させるとともに、周縁を下方に向けて伸延させている。
【００５９】
一方、回路基板35の下部には、図10及び図1 2に示すように、絶縁性を有する素材、例えば樹脂等のフィルムをシート状に成形した下側カバー46を配設している。
【００６０】
かかる下側カバー46は、回路基板35の下面に突出する電気部品のリード端子47や同リード端子47と回路基板35の下面とのハンダ付け部48に下側カバー46の上面が接触しないように凸部49を形成している。
【００６１】
また、下側カバー46は、周縁を回路基板35の周縁よりも外側にまで伸延させるとともに、周縁を前記上側カバー42の周縁内側面に当接させている。
【００６２】
このように、本実施例では、操作スイッチ34を配設した回路基板35の上方及び下方をシート状のカバー（上側カバー42及び下側カバー46）で被覆しているため、回路基板35の上下両面を樹脂で被覆する場合よりも簡単かつ安価な構成でありながら回路基板35を被覆することができ、仮に操作部ケーシング６の内部に水滴が侵入しても、その水滴が回路基板35の上面に直接的に溜まることはなく、したがって、水滴によって回路基板35の上面に実装した操作スイッチ34が短絡して衛生洗浄装置１が誤動作や故障するといった不具合の発生を未然に防止することができる。
【００６３】
特に、回路基板35の上方を被覆する上側カバー42の周縁を下方に向けて伸延させると、仮に操作部ケーシング６の内部に水滴が侵入しても、その水滴が上側カバー42の上面周縁から回路基板42の下方へ向けて落下させることができるので、回路基板35の上部に水滴が溜まるのを防止することができ、これによっても、水滴によって操作スイッチ34が短絡して衛生洗浄装置１が誤動作や故障するといった不具合の発生を未然に防止することができる。尚、回路基板35を外側に向けて伸延するケーブル２６も一旦下方に向けて伸延させることで、ケーブル２６を伝わって回路基板35の上面に水滴が侵入するのを防止できる。
【００６４】
また、回路基板35の上方を被覆する上側カバー42の周縁を回路基板35の外側まで伸延させても、操作部ケーシング６の内部に侵入した水滴を上側カバー42の上面周縁から回路基板35の下方へ向けて落下させることができるので、回路基板35の上部に水滴が溜まるのを防止することができ、これによっても、水滴によって操作スイッチ34が短絡して衛生洗浄装置１が誤動作や故障するといった不具合の発生を未然に防止することができる。
【００６５】
また、本実施例では、図10及び図12に示すように、操作部ケーシング６の裏面にボス50を下方に向けて突設し、同ボス50にインシュレータ33の前後端縁部に垂設した舌片51を固定用ビス36で取付け、さらには、インシュレータ33の下部にボス52を垂設し、同ボス52に回路基板35を上側カバー42と下側カバー46とで被覆した状態で下側カバー46の下方側から固定用ビス36で取付けている。
【００６６】
このように、回路基板35は、キートップ39を有するインシュレータ33に直接的に取付けられているため、回路基板35とインシュレータ33のキートップ39との位置が精度良く決まり、キートップ39の下部に形成したボス41を回路基板35の上面に実装した操作スイッチ34の直上方に位置させることができ、キートップ39の操作力を操作スイッチ34に直接的に無駄なく伝達でき、操作スイッチ34の円滑な操作を可能ならしめることができる。
【００６７】
しかも、下側カバー46は、周縁を上側カバー42の周縁内側面に当接させているため、下側カバー46を固定用ビス36でインシュレータ33に固定することによって、固定された下側カバー46で上側カバー42が位置決めされることになり、上側カバー42が回路基板35の上面で前後左右に変位移動するのを防止することができる。
【００６８】
上記実施例では、操作部ケーシング６の前側部に配設した主操作部27の構造について説明したが、操作部ケーシング６の後側部に配設した副操作部28も主操作部27と同様の構造としている。
【００６９】
すなわち、副操作部28は、図10、図11、及び図14に示すように、操作部ケーシング６の上面後側部に開閉蓋53を開閉自在に取付け、同開閉蓋53の下方の操作部ケーシング６に複数の貫通孔(図示省略）を穿設するとともに、操作部ケーシング６の上面後側部（開閉蓋53の下方）にシート状の操作パネル54を貼着する一方、操作部ケーシング６の下部に略平板状の樹脂素材からなるインシュレータ(図示省略）を取付け、同インシュレータの下部に複数の操作スイッチ(後述）を配設した回路基板(後述）を取付けている。
【００７０】
副操作部28に設けた操作パネル54は、図14に示すように、前側部に、洗浄水吐出ユニット８や便座加熱ユニット９や乾燥風送出ユニット10での設定温度を設定する際に温度を設定すべきユニットを選択するための選択ボタン55,56,57を各ユニット（洗浄水吐出ユニット８、便座加熱ユニット９、乾燥風送出ユニット10）ごとに配設し、後側部に、その他の操作ボタン58を配設しており、これらの選択ボタン55,56,57や操作ボタン58はエンボス加工により突出形成され、各ボタン55,56,57,58の表面や上部にその操作ボタン37による動作を説明する文字を印刷している。尚、選択ボタン55,56,57は、その他の操作ボタン58とは表面の色を異ならせることで、使用者が選択ボタン55,56,57であることを視覚的に認識し易くしている。
【００７１】
かかる選択ボタン55,56,57は、各ユニットでの設定温度の変更を行う際に使用する温度調節ボタンとしての機能をも兼ね備えている。すなわち、選択ボタン55,56,57を選択操作した後に、続けて選択ボタン55,56,57を操作することによって各ユニットでの設定温度を変更できるようにしている。
【００７２】
また、操作パネル54は、前側部の選択ボタン55,56,57の左側部に、各ユニット（洗浄水吐出ユニット８、便座加熱ユニット９、乾燥風送出ユニット10）での現在の設定温度を表示するために１個の表示部60を配設しており、かかる表示部60に前記選択ボタン55,56,57で選択されたユニットの設定温度を表示するようにしている。かかる表示部60は、設定温度を高低で示すための５個の表示体（発光体）としてのLED61',62',63',64',65'を回路基板上に１列に配置するとともに、操作部ケーシング６の上面にLED61',62',63',64',65'と対応する透過窓61,62,63,64,65を穿設している。
【００７３】
ここで、図15に衛生洗浄装置１の制御ブロック図、図16に制御ユニット11と主操作部27及び副操作部28との接続を示す制御ブロック図を示す。図15及び図16に示すように、主操作部27用の回路基板35上に配置された操作スイッチ34a〜34j及び各種LED44がケーブル26aを介して制御ユニット11へ接続され、副操作部28の回路基板（図示省略）上に配置された温水選択スイッチ55'、便座選択スイッチ56'、乾燥選択スイッチ57'、タイマー節電入切スイッチ、オートパワー脱臭入切スイッチ、おまかせ節電入切スイッチ、ノズル掃除入切スイッチ、運転入切スイッチ及び温度調節用LED61',62',63',64',65'、タイマー節電用ＬＥＤ（３個）、オートパワー脱臭入切ＬＥＤ、おまかせ節電入切ＬＥＤ、運転入切ＬＥＤがケーブル26を介して制御ユニット11へ接続される。
【００７４】
そして、選択ボタン55,56,57を押圧操作することによって、選択ボタン下方に配されたスイッチ55',56',57'をオン操作し、所定のユニット（洗浄水吐出ユニット８、便座加熱ユニット９、乾燥風送出ユニット10）を所望の設定温度に調整できるようにしている。
【００７５】
すなわち、選択ボタン55（温水ボタン）を用いて洗浄水吐出ユニット８の設定温度を調節する場合について図17に基づいて説明すると、まず、選択ボタン55を操作する前は、図17(a)に示すように、表示部60には何ら設定温度が表示されておらず、全てのLED61',62',6 3',64',65'が消灯しており、その状態で選択ボタン55を押圧操作すると、選択スイッチ55'がオンされ、その信号が制御ユニット11に伝達され、図17(b)に示すように、洗浄水吐出ユニット８の現在の設定温度に対応するLEDを点灯させ表示部60に表示させるが、初期設定では、洗浄水温は適温（３７℃）に設定されているため、中央のLED63'のみを点灯させる。
【００７６】
そして、引き続き選択ボタン55を押圧操作すると、図17(c)に示すように、洗浄水吐出ユニット８の設定温度が現在の設定温度よりも低い温度に対応する下から２番目のLED62'のみが点灯する。
【００７７】
引き続き選択ボタン55を押圧操作すると、図17(d)に示すように、さらに設定温度が低い温度に対応する一番下のランプ61'のみが点灯し、さらに引き続き選択ボタン55を押圧操作すると、図17(e)に示すように、洗浄水吐出ユニット８の設定温度が消去され、すなわち洗浄水吐出ユニット８において洗浄水の加熱を中止して常温の洗浄水を吐出することを示すために表示部60には何ら設定温度が表示されず、全てのLED61',62',63',64',65'が消灯した状態となる。
【００７８】
引き続き選択ボタン55を押圧操作すると、図17(f)に示すように、再び一番下のLED61'のみが点灯し、その後選択ボタン55を押圧操作するたびに徐々に高い温度に対応するLED62',63',64',65'が順次点灯し（図17(g)〜図17(j)参照）、LED65'が点灯した後は、逆に選択ボタン55を押圧操作するたびに徐々に低い温度に対応するLED64',63',62',61'が順次点灯する。（図17(k)〜図17(o)参照）。
【００７９】
上記のように選択ボタン５５を連続操作後、２秒以上押圧操作されなかった場合には、設定前の目標温度を、点灯しているLEDに対応する設定温度に変更して、熱交換器内の熱交換器用サーミスタに基づいて熱交換器用ヒータの通電制御を行う。
【００８０】
また、選択ボタン55が１０秒以上連続して押圧操作されなかった場合には、同選択ボタン55による温度設定が終了したものと判断し、LED61',62',63’,64’,65’を全て消灯して表示部60による表示を終了する。尚、目標温度の変更後もいずれかのLED61',62',63’,64’,65’が点灯している間は連続押圧操作とみなし、前述の図17に示した動作を連続して行い、再度の押圧操作が２秒以上なされなかった場合には、点灯しているLED61',62',63’,64’,65’に対応する設定温度へ再度変更して熱交換器14の内部に設けたサーミスタに基づいて熱交換器用ヒータの通電制御を行う。本実施例においては、それぞれの時間を２秒、１０秒としたが、操作性に差し支えない程度で変更可能である。
【００８１】
尚、選択ボタン55（温水ボタン）を用いて洗浄水吐出ユニット８の設定温度を調節する場合について説明したが、選択ボタン56（便座ボタン）を用いて便座加熱ユニット９の設定温度を調節する場合や、選択ボタン57（乾燥ボタン）を用いて乾燥風送出ユニット10の設定温度を調節する場合も上記と同様な操作によって乾燥サーミスタ、便座サーミスタにて監視する温度を調節し、そのサーミスタに基づいて乾燥ヒータ、便座ヒータへの通電制御を行う。
【００８２】
また、本実施例では、表示部60の５個のLED61',62',63’,64’,65’のうち中央のLED63'を緑色としその他のLED61',62',64',65'を赤色としており、中央のLED63'が点灯する設定温度を標準的な最適温度（洗浄水吐出ユニット８では３７℃、便座加熱ユニット９では３７℃、乾燥風送出ユニット10では60℃）に設定している。
【００８３】
また、衛生洗浄装置１は、メイン電源を切断してもそれまでに設定しておいた設定温度を制御ユニット11に設けられたＥＥＰＲＯＭ等の不揮発性メモリで記憶しておくようにしている。
【００８４】
このように、本実施例では、操作ユニット12に温度を設定すべきユニット（洗浄水吐出ユニット８、便座加熱ユニット９、乾燥風送出ユニット10）を選択するための選択ボタン55,56,57を各ユニットごとに設け、各選択ボタン55,56,57に、各ユニットでの設定温度の変更を行う温度調節ボタンとしての機能をも兼ね備えさせ、同選択ボタン55,56,57を選択操作した後に続けて操作することによって各ユニットでの設定温度を変更できるようにしているため、選択ボタン55,56,57の他に温度調節ボタンを設ける必要がなくなり、ボタン類を配設するためのスペースを小さくすることができるとともに、狭いスペースを有効に利用して各選択ボタン55,56,57を可及的に大きくすることができ、これにより、各選択ボタン55,56,57の操作がしやすくなり、衛生洗浄装置１の操作性を向上させることができる。
【００８５】
しかも、選択ボタン55,56,57の最初の操作によって温度を設定すべきユニットが選択され、次の操作によってユニットの設定温度が現在の設定温度よりも低い温度に変更されるように制御ユニット11で制御しているため、使用者がボタン操作を行った場合には、一旦低温側に設定温度が変更されることになり、使用者の身体が誤って選択ボタン55,56,57に接触しても、いきなり高温の洗浄水が吐出されたり、便座が高温になりすぎたり、高温の乾燥風が送出されたりすることがなく、したがって、使用者が火傷を追うなどといった損傷を受けるおそれが全くなくなり、これにより、衛生洗浄装置１の安全性を向上させることができる。
【００８６】
また、操作ユニット12に各ユニットでの現在の設定温度を表示するための表示部60を１個だけ設けて、同表示部60に選択ボタン55,56,57で選択されたユニットの設定温度を表示するように構成しているため、各ユニットでの設定温度を共通の表示部60で表示することができ、各ユニットごとに表示部60を設ける必要がなくなり、表示部60を配設するためのスペースを小さくすることができるとともに、狭いスペースを有効に利用して表示部60を可及的に大きくすることができ、これにより、使用者が現在の設定温度を容易に確認することができ、衛生洗浄装置１の使い勝手を向上させることができる。
【００８７】
上記実施例では、表示部60として５個の透過窓61,62,63,64,65を用いて５段階の設定温度を表示するようにしているが、図18に示すように、表示部66として３個の透過窓67,68,69及び３個のＬＥＤ67’,68’,69’を用いて５段階の設定温度を表示するようにしてもよい。この場合に、設定温度が最も高い温度に設定されているときには、図18(a)に示すように、一番上のＬＥＤ69’のみを点灯し、次に高い温度に設定されているときには、図18(b)に示すように、一番上のLED69’と中央のLED68’とを同時に点灯し、最適の温度に設定されているときには、図18(c)に示すように、中央のLED68’のみを点灯し、最適の温度よりも僅かに低い温度に設定されているときには、図18(d)に示すように、中央のLED68’と一番下のLED67’とを同時に点灯し、最も低い温度に設定されているときには、図18(e)に示すように、一番下のLED67'のみを点灯するようにして、３個のLED67',68',69'で５段階の設定温度を表示できるようにしてもよい。
【００８８】
これによって、さらに表示部66が占めるスペースを小さくすることができるとともに、狭いスペースを有効に利用して表示部66やボタン類を可及的に大きくすることができ、これにより、使用者が現在の設定温度を容易に確認することができ、また、使用者が容易にボタン操作を行うことができ、衛生洗浄装置１の使い勝手を向上させることができる。
【００８９】
なお、本実施例においては、温風送出ユニットとして、人体局部を乾燥する為の乾燥風送出ユニット10の場合で説明したが、トイレ室内へ温風を送出し、室内を暖房する室内暖房ユニットであっても良い。
【００９０】
【発明の効果】
本発明は、以上に説明したような形態で実施され、以下に記載されるような効果を奏する。
【００９１】
すなわち、請求項１に係る本発明では、操作ユニットに温度を設定すべきユニットを選択するための選択ボタンを各ユニットごとに設け、各選択ボタンに各ユニットでの設定温度の変更を行う温度調節ボタンとしての機能をも兼ね備えさせ、同選択ボタンを選択操作した後に引き続き操作することにより、制御ユニットは、選択ボタンの最初の操作によって温度を設定すべきユニットを選択し、次の操作によってユニットの設定温度を現在の設定温度よりも低い温度に変更すべく制御する構成としたため、選択ボタンの他に温度調節ボタンを設ける必要がなくなり、操作ボタンを配設するためのスペースを小さくすることができるとともに、狭いスペースを有効に利用して各選択ボタンを可及的に大きくすることができ、選択ボタンの操作が容易になり、これにより、衛生洗浄装置の操作性を向上させることができる。
【００９２】
また、使用者がボタン操作を行った場合には、一旦低温側に設定温度が変更されることになり、使用者の身体が誤って選択ボタンに接触しても、いきなり高温の洗浄水が吐出されたり、便座が高温になりすぎたり、高温の乾燥風が送出されたりすることがなく、したがって、使用者が火傷を追うなどといった損傷を受けるおそれが全くなくなり、これにより、衛生洗浄装置の安全性を向上させることができる。
【００９３】
さらに、請求項２に係る本発明では、現在の設定温度よりも高い温度に変更する場合には、最低設定温度を経由してから変更されるようにしているため、使用者にとって安全である低温側へ確実に変更されることになり、使用者による誤操作があったとしても、いきなり高温の洗浄水が吐出されたり、便座が高温になりすぎたり、高温の乾燥風が送出されたりすることがなく、したがって、使用者が火傷を追うなどといった損傷を受けるおそれが全くなくなり、これにより、衛生洗浄装置の安全性を向上させることができる。
【００９４】
また、請求項３に係る本発明では、温度設定ユニットに各ユニットでの現在の設定温度を表示するための表示部を１個だけ設けて、同表示部に選択ボタンで選択されたユニットの設定温度を表示するようにしているため、各ユニットでの設定温度を１個の表示部で表示することができ、各ユニットごとに表示部を設ける必要がなくなり、表示部を配設するためのスペースを小さくすることができるとともに、狭いスペースを有効に利用して表示部やボタン類を可及的に大きくすることができ、これにより、使用者が現在の設定温度を容易に確認することができ、また、使用者がボタン類を容易に操作することができ、衛生洗浄装置の使い勝手を向上させることができる。
【００９５】
さらに、請求項４に係る本発明では、各ユニットでの現在の設定温度を表示するための表示部への表示を所定時間だけ行うように制御しているため、ボタン類が所定時間連続して押圧操作されなかった場合には、同ボタン類による温度設定が終了したものと判断し、LEDを全て消灯して表示部による表示が終了し、これにより、不要な電力消費を抑制することができ、省エネルギー化を図ることができる。
【図面の簡単な説明】
【図１】本発明にかかる衛生洗浄装置の使用状態を示す斜視図。
【図２】本発明に係る衛生洗浄装置を示す平面図。
【図３】同正面図。
【図４】同左側面図。
【図５】衛生洗浄装置の内部構造を示す模式図。
【図６】同斜視図。
【図７】操作部ケーシングを示す正面図。
【図８】同左側面図。
【図９】同右側面図。
【図１０】同分解斜視図。
【図１１】同平面図。
【図１２】同断面図。
【図１３】回路基板及び上側ケースを示す部分拡大平面図。
【図１４】副操作部を示す平面図。
【図１５】衛生洗浄装置の制御ブロック図。
【図１６】制御ユニットと主操作部及び副操作部との接続を示す制御ブロック図。
【図１７】副操作部での設定温度の変更方法を示す説明図。
【図１８】他実施例としての表示部を示す平面図。
【符号の説明】
１  衛生洗浄装置
２  便器
３  本体ケーシング
４  便座
５  便蓋
６  操作部ケーシング
８  洗浄水吐出ユニット
９  便座加熱ユニット
10  乾燥風送出ユニット
11  制御ユニット
12  操作ユニット
13  バルブ
14  熱交換器
15  洗浄水吐出ノズル
16  給水管
19  ヒーター
20  送風機
22  制御基板
27  主操作部
28  副操作部
32  操作パネル
33  インシュレータ
34  操作スイッチ
35  回路基板
３７ａ  操作ボタン
38  インシュレータ本体
39  キートップ
41  ボス
42  上側カバー
46  下側カバー
53  開閉蓋
54  操作パネル
55,56,57  選択ボタン
58  操作ボタン
60  表示部
61,62,63,64,65  LED
【図１】
0004742438.tif 000002
【図２】
0004742438.tif 000003
【図３】
0004742438.tif 000004
【図４】
0004742438.tif 000005
【図５】
0004742438.tif 000006
【図６】
0004742438.tif 000007
【図７】
0004742438.tif 000008
【図８】
0004742438.tif 000009
【図９】
0004742438.tif 000010
【図１０】
0004742438.tif 000011
【図１１】
0004742438.tif 000012
【図１２】
0004742438.tif 000013
【図１３】
0004742438.tif 000014
【図１４】
0004742438.tif 000015
【図１５】
0004742438.tif 000016
【図１６】
0004742438.tif 000017
【図１７】
0004742438.tif 000018
【図１８】
0004742438.tif 000019